(57)【特許請求の範囲】
【請求項１】
被記録媒体を支持して搬送可能な粘着性ベルトと、
前記粘着性ベルトに前記被記録媒体を押し当てるローラーと、
前記ローラーに付着した付着物を除去する除去部と、
を備えることを特徴とする記録装置。
【請求項２】
請求項１に記載の記録装置において、
前記除去部は、前記ローラーにおける前記被記録媒体の幅方向の端部と接触する位置に付着した付着物を除去可能な位置に配置されることを特徴とする記録装置。
【請求項３】
請求項１に記載の記録装置において、
前記除去部は、前記被記録媒体の幅方向に移動可能であることを特徴とする記録装置。
【請求項４】
請求項３に記載の記録装置において、
前記除去部は、前記被記録媒体の搬送中に移動可能であることを特徴とする記録装置。
【請求項５】
請求項１から４のいずれか１項に記載の記録装置において、
前記除去部を複数備えることを特徴とする記録装置。
【請求項６】
請求項１から５のいずれか１項に記載の記録装置において、
前記除去部は、前記ローラーに当接して前記付着物を除去するブレードであることを特徴とする記録装置。
【請求項７】
請求項１から５のいずれか１項に記載の記録装置において、
前記除去部は、粘着性を有する接触部を前記ローラーに接触させて前記付着物を除去することを特徴とする記録装置。
【請求項８】
請求項７に記載の記録装置において、
前記除去部は、外側に粘着面が位置するように巻かれたロールであることを特徴とする記録装置。
【発明の詳細な説明】
【技術分野】
【０００１】
本発明は、記録装置に関する。
【背景技術】
【０００２】
従来から、被記録媒体を粘着性ベルトに載置して搬送する搬送機構を備える記録装置が使用されている。このような記録装置のうち、粘着性ベルトに被記録媒体を押し当てるローラーを備える記録装置が開示されている。  
例えば、特許文献１には、粘着性ベルトに被記録媒体を押し当てることが可能な加圧ローラーを備える記録装置が開示されている。
【先行技術文献】
【特許文献】
【０００３】
【特許文献１】特開２０１４−１６８８８０号公報
【発明の概要】
【発明が解決しようとする課題】
【０００４】
被記録媒体には様々な種類があり、繊維状の材料を有する被記録媒体においては、端部が毛羽立っていることがある。このような端部が毛羽立っている被記録媒体に記録を行う場合、毛羽と記録ヘッドとが干渉してインクの吐出不良を生じさせることがあるほか、毛羽が被記録媒体の画像形成部分に及び記録ヘッドから吐出されたインクが毛羽に付着して画質を低下させることがある。  
そこで、特許文献１の記録装置は、被記録媒体の端部の毛羽の影響を抑制可能な構成になっている。  
一方、粘着性ベルトに被記録媒体を押し当てるローラーを備える記録装置においては、粘着性ベルトの粘着剤が前記毛羽などに付着し、さらに、該毛羽などが被記録媒体から該ローラーに付着し、そして、該ローラーに付着した付着物が被記録媒体に付着するという新たな課題が発生している。  
このように、ローラーに付着した付着物が被記録媒体に付着すると、該付着物と記録ヘッドとが干渉してインクの吐出不良を生じさせるなど、不具合を生じさせる虞がある。
【０００５】
そこで、本発明の目的は、粘着性ベルトに被記録媒体を押し当てるローラーに付着した付着物が被記録媒体に付着することで生じ得る不具合を抑制することである。
【課題を解決するための手段】
【０００６】
上記課題を解決するための本発明の第１の態様の記録装置は、被記録媒体を支持して搬送可能な粘着性ベルトと、前記粘着性ベルトに前記被記録媒体を押し当てるローラーと、前記ローラーに付着した付着物を除去する除去部と、を備えることを特徴とする。
【０００７】
本発明の第２の態様の記録装置は、前記第１の態様において、前記除去部は、前記ローラーにおける前記被記録媒体の幅方向の端部と接触する位置に付着した付着物を除去可能な位置に配置されることを特徴とする。
【０００８】
本発明の第３の態様の記録装置は、前記第１の態様において、前記除去部は、前記被記録媒体の幅方向に移動可能であることを特徴とする。
【０００９】
本発明の第４の態様の記録装置は、前記第３の態様において、前記除去部は、前記被記録媒体の搬送中に移動可能であることを特徴とする。
【００１０】
本発明の第５の態様の記録装置は、前記第１から第４のいずれか１つの態様において、前記除去部を複数備えることを特徴とする。
【００１１】
本発明の第６の態様の記録装置は、前記第１から第５のいずれか１つの態様において、前記除去部は、前記ローラーに当接して前記付着物を除去するブレードであることを特徴とする。
【００１２】
本発明の第７の態様の記録装置は、前記第１から第５のいずれか１つの態様において、前記除去部は、粘着性を有する接触部を前記ローラーに接触させて前記付着物を除去することを特徴とする。
【００１３】
本発明の第８の態様の記録装置は、前記第７の態様において、前記除去部は、外側に粘着面が位置するように巻かれたロールであることを特徴とする。
【発明の効果】
【００１４】
本発明によれば、粘着性ベルトに被記録媒体を押し当てるローラーに付着した付着物が被記録媒体に付着することで生じ得る不具合を抑制することができる。
【図面の簡単な説明】
【００１５】
【図１】本発明の実施例１の記録装置を表す概略側面図。
【図２】本発明の実施例１の記録装置を表す概略斜視図。
【図３】本発明の実施例１の記録装置を表す概略平面図。
【図４】本発明の実施例２の記録装置を表す概略平面図。
【図５】本発明の実施例３の記録装置を表す概略平面図。
【図６】本発明の実施例４の記録装置を表す概略平面図。
【図７】本発明の実施例４の記録装置の除去部を表す概略図。
【発明を実施するための形態】
【００１６】
［実施例１］（図１〜図３）  
以下に、本発明の実施例に係る記録装置について、添付図面を参照して詳細に説明する。  
最初に、本発明の実施例１に係る記録装置１の概要について説明する。  
図１は本実施例の記録装置１の概略側面図である。
【００１７】
本実施例の記録装置１は、記録を行うための被記録媒体ＰのロールＲ１を繰り出すことが可能な繰出部２を備えている。また、粘着剤が付着された支持面Ｆで被記録媒体Ｐを支持する粘着性ベルト１０により被記録媒体Ｐを搬送方向Ａに搬送する搬送機構３を備えている。また、被記録媒体Ｐの搬送方向Ａと交差する交差方向Ｂに記録ヘッド７を往復走査させて記録する記録機構４を備えている。また、粘着性ベルト１０の洗浄機構１５を備えている。さらに、被記録媒体Ｐを巻き取る巻取軸１７と巻き取られている被記録媒体Ｐを切断するカッター１６とを有する巻取機構１８を備えている。
【００１８】
繰出部２は、記録を行うための被記録媒体ＰのロールＲ１のセット位置を兼ねる回転軸５を備え、回転軸５にセットされたロールＲ１から従動ローラー６を介して被記録媒体Ｐを搬送機構３に繰り出すことが可能な構成となっている。なお、被記録媒体Ｐを搬送機構３に繰り出す際、回転軸５は回転方向Ｃに回転する。
【００１９】
搬送機構３は、繰出部２から繰り出された被記録媒体Ｐを載置して搬送する粘着性ベルト１０と、粘着性ベルト１０を移動させる駆動ローラーとしての搬送ローラー８と、従動ローラー９とを備えている。被記録媒体Ｐは加圧ローラー１２により粘着性ベルト１０の支持面Ｆに押し当てられて（加圧されて）貼り付けられて載置される。なお、被記録媒体Ｐを搬送する際、搬送ローラー８は回転方向Ｃに回転する。  
また、詳細は後述するが、加圧ローラー１２に付着した付着物を除去可能な除去部としてのブレード１９が設けられている。
【００２０】
記録機構４は、記録ヘッド７を搭載するキャリッジを交差方向Ｂに往復移動させる不図示のキャリッジモーターを有している。なお、図１において交差方向Ｂは紙面に対して垂直方向である。  
記録の際、記録ヘッド７を往復走査させて記録するが、記録走査中（記録ヘッド７の移動中）は、搬送機構３は被記録媒体Ｐの搬送を停止させる。別の表現をすると、記録の際、記録ヘッド７の往復走査と被記録媒体Ｐの搬送は交互に行われる。すなわち、記録の際、記録ヘッド７の往復走査に対応して、搬送機構３は被記録媒体Ｐを間欠搬送させている。  
本実施例の記録装置１では、記録ヘッド７を往復走査させて記録する記録機構４を備えているが、このような構成の記録機構に限定されず、搬送方向Ａと交差する方向にインクを吐出するノズル列を設けた所謂ラインヘッドを有する記録機構を備えていてもよい。
【００２１】
粘着性ベルト１０の洗浄機構１５は、複数の洗浄ローラーが回転軸方向に連結されて構成された洗浄ユニット１３と、洗浄ユニット１３を洗浄するための洗浄剤が入ったトレイ１４と、を有する。
【００２２】
巻取機構１８は、記録がなされ、従動ローラー１１を介して搬送機構３から搬送された被記録媒体Ｐを巻き取る機構であり、巻取軸１７に巻き取り用の紙管等をセットしてこれに該被記録媒体Ｐを巻き付けていくことにより、被記録媒体ＰのロールＲ２として巻き取ることができる。
【００２３】
次に、加圧ローラー１２に付着した付着物を除去可能な除去部について説明する。  
図２は本実施例の記録装置１の概略斜視図であり、図３は本実施例の記録装置１の概略平面図である。
【００２４】
図２及び図３で表されるように、本実施例の記録装置１は、被記録媒体Ｐを支持して搬送可能な粘着性ベルト１０と、粘着性ベルト１０に被記録媒体Ｐを押し当てるローラー（加圧ローラー１２）と、加圧ローラー１２に付着した付着物を除去する除去部としてのブレード１９を備えている。このため、加圧ローラー１２に付着した付着物が被記録媒体Ｐに付着することで生じ得る不具合を抑制することができる構成になっている。  
なお、「粘着性ベルト」とは、被記録媒体Ｐの支持面Ｆに該被記録媒体Ｐを剥離可能に接着して保持する粘着剤が付着されたベルトを意味する。
【００２５】
なお、本実施例の記録装置１のように、加圧ローラー１２に付着した付着物を除去する除去部を、加圧ローラー１２に当接して付着物を除去するブレード１９とすることにより、加圧ローラー１２から付着物を掻き取って除去することができる。なお、加圧ローラー１２から付着物を掻き取る構成とすることで、ブレード１９から加圧ローラー１２に付着物が再度付着するということを抑制できる。
【００２６】
また、図２及び図３で表されるように、ブレード１９は、平面視で、被記録媒体Ｐの幅方向の端部Ｐｅを含む位置（被記録媒体Ｐの幅方向の端部Ｐｅに相当する位置）に配置されている。すなわち、ブレード１９は、加圧ローラー１２における被記録媒体Ｐの幅方向の端部Ｐｅと接触する位置に付着した付着物を除去可能な位置に配置されている。  
ここで、「被記録媒体Ｐの幅方向」とは、支持面Ｆに沿う方向であって被記録媒体Ｐの搬送方向Ａと交差する交差方向Ｂであることを意味する。  
本実施例のブレード１９は、加圧ローラー１２における被記録媒体Ｐの幅方向の端部Ｐｅと接触する位置に付着した付着物を除去可能な位置に配置されているため、被記録媒体Ｐの幅方向の端部Ｐｅの毛羽が付着物として加圧ローラー１２に付着しても、該毛羽を効果的に除去することができる。
【００２７】
また、図２及び図３で表されるように、本実施例の記録装置１は、ブレード１９を複数備えているので、加圧ローラー１２に付着した付着物を効果的に除去することができる。詳細には、加圧ローラー１２における被記録媒体Ｐの幅方向の両方の端部Ｐｅに対応する位置にブレード１９を配置していることにより、被記録媒体Ｐの幅方向の両方の端部Ｐｅから加圧ローラー１２に付着した毛羽を効果的に除去することができる。
【００２８】
なお、本実施例の記録装置１は、ブレード１９に付着物が付着したらユーザーが手動でブレード１９をクリーニングすることを前提とした構成である。しかしながら、例えば、定期的に自動的にブレード１９をクリーニングするブレード１９のクリーニング機構を備える構成としてもよい。
【００２９】
［実施例２］（図４）  
次に、本発明の実施例２に係る記録装置について説明する。  
図４は本発明の実施例２に係る記録装置１の概略平面図であり、実施例１の記録装置１を表す図３に対応する図である。なお、上記実施例１と共通する構成部材は同じ符号で示しており、詳細な説明は省略する。  
本実施例の記録装置１は、除去部の構成のみが実施例１の記録装置１と相違する。
【００３０】
実施例１の記録装置１の除去部は、使用が想定される被記録媒体Ｐの幅方向の端部Ｐｅに相当する位置に固定された状態で設けられるブレード１９であった。  
一方、本実施例の記録装置１は、交差方向Ｂに延設されるレール２０を備え、除去部としての２つのブレード１９がこのレール２０に沿ってユーザーが手動で交差方向Ｂに移動可能な構成である。
【００３１】
本実施例の記録装置１は、複数の幅の被記録媒体を使用可能な構成であるが、このように、本実施例のブレード１９は、被記録媒体Ｐの幅方向に移動可能である。このため、使用する被記録媒体Ｐの幅に合わせて、該被記録媒体Ｐの幅方向の端部Ｐｅの毛羽を効果的に除去可能な位置に、ブレード１９を移動して配置させることができる。
【００３２】
［実施例３］（図５）  
次に、本発明の実施例３に係る記録装置について説明する。  
図５は本発明の実施例３に係る記録装置１の概略平面図であり、実施例１の記録装置１を表す図３に対応する図である。なお、上記実施例１及び２と共通する構成部材は同じ符号で示しており、詳細な説明は省略する。  
本実施例の記録装置１は、除去部の構成のみが実施例１及び２の記録装置１と相違する。
【００３３】
実施例２の記録装置１の除去部は、交差方向Ｂに延設されるレール２０に沿ってユーザーが手動で移動可能な２つのブレード１９であった。  
一方、本実施例の記録装置１の除去部は、交差方向Ｂに延設されるレール２０に対して、不図示の制御部の制御により被記録媒体Ｐの搬送中に交差方向Ｂに移動するブレード１９である。
【００３４】
このように、ブレード１９は、被記録媒体Ｐの搬送中に移動可能である。このため、例えば、被記録媒体Ｐの搬送中に加圧ローラー１２全体に亘りブレード１９を被記録媒体Ｐの幅方向（交差方向Ｂ）に移動させ続けることによって、加圧ローラー１２全体の付着物を除去し続けることができる。すなわち、被記録媒体Ｐに前記付着物が付着することを特に効果的に抑制することができる。
【００３５】
なお、本実施例のブレード１９は、加圧ローラー１２に対する接触方向が交差方向Ｂに沿う方向になっている。これは、ブレード１９の交差方向Ｂへの移動速度に対して加圧ローラー１２の回転速度が速いためである。しかしながら、ブレード１９の交差方向Ｂへの移動速度に対して加圧ローラー１２の回転速度が遅い構成の場合等では、ブレード１９の加圧ローラー１２に対する接触方向を交差方向Ｂと交差する方向にしてもよい。すなわち、ブレード１９の加圧ローラー１２に対する接触方向に特に限定はない。
【００３６】
［実施例４］（図６、図７）  
次に、本発明の実施例４に係る記録装置について説明する。  
図６は本発明の実施例４に係る記録装置１の概略平面図であり、実施例１の記録装置１を表す図３に対応する図である。また、図７は実施例４の記録装置１の除去部を表す概略図である。このうち、図７（Ａ）は本実施例の除去部としての粘着ローラー２１の外観図であり、図７（Ｂ）は該粘着ローラー２１の要部である粘着層部分Ｄの拡大図である。なお、上記実施例１から３と共通する構成部材は同じ符号で示しており、詳細な説明は省略する。  
本実施例の記録装置１は、除去部の構成のみが実施例１から３の記録装置１と相違する。
【００３７】
実施例１から３の記録装置１の除去部は、加圧ローラー１２に当接して付着物を除去するブレード１９を有する構成であった。  
一方、本実施例の除去部は、粘着ローラー２１を加圧ローラー１２に当接して付着物を除去する構成である。
【００３８】
図６で表されるように、本実施例の除去部である粘着ローラー２１は、粘着性を有する接触部２２（粘着面２４）を加圧ローラー１２に接触させて加圧ローラー１２に付着した付着物を除去する構成である。このような構成により、加圧ローラー１２から付着物を貼り付けて除去する。
【００３９】
詳細には、本実施例の粘着ローラー２１は、図７（Ｂ）で表されるような粘着面２４と台紙２５とで構成される粘着テープ（粘着層）が、図７（Ａ）で表されるように加圧ローラー１２に接触する接触部２２である粘着面２４が外側になるように巻取軸２３に巻かれたロールで構成されている。このように、加圧ローラー１２に対する接触部２２は、外側に粘着面２４が位置するように巻かれたロールである。このため、加圧ローラー１２から付着物を貼り付けて除去することができるとともに、粘着面２４に付着物が多く付着することにより粘着力が低下した場合に、例えばロール１周分の粘着層を捲ることにより、簡単に新たな粘着面２４を出現させることができ、付着物の除去能力を簡単に回復することができる構成になっている。  
図７（Ｂ）では粘着テープの構成を解りやすくするために、粘着テープ間に空隙があるように表されているが、この空隙は必要ではなく密着していても問題はない。また必要によりこの空隙に粘着面２４の保護層を設けてもよい。
【００４０】
なお、本発明は上記実施例に限定されることなく、特許請求の範囲に記載した発明の範囲内で種々の変形が可能であり、それらも本発明の範囲内に含まれることは言うまでもない。  
以上、本発明について具体的な実施例に基づいて詳述した。ここで、本発明について、もう一度まとめて説明する。
【００４１】
本発明の第１の態様の記録装置１は、被記録媒体Ｐを支持して搬送可能な粘着性ベルト１０と、粘着性ベルト１０に被記録媒体Ｐを押し当てるローラー１２と、ローラー１２に付着した付着物を除去する除去部１９（２１）と、を備えることを特徴とする。
【００４２】
ここで、「粘着性ベルト」とは、被記録媒体Ｐの支持面Ｆに該被記録媒体Ｐを剥離可能に接着して保持する粘着剤が付着されたベルトを意味する。  
本態様によれば、粘着性ベルト１０に被記録媒体Ｐを押し当てるローラー１２に付着した付着物を除去する除去部１９（２１）を備える。このため、ローラー１２に付着した付着物が被記録媒体Ｐに付着することで生じ得る不具合を抑制することができる。
【００４３】
本発明の第２の態様の記録装置１は、前記第１の態様において、除去部１９（２１）は、ローラー１２における被記録媒体Ｐの幅方向の端部Ｐｅと接触する位置に付着した付着物を除去可能な位置に配置されることを特徴とする。
【００４４】
ここで、「被記録媒体Ｐの幅方向」とは、ローラー１２における被記録媒体Ｐの支持面Ｆに沿う方向であって被記録媒体Ｐの搬送方向Ａと交差する交差方向Ｂを意味する。  
本態様によれば、除去部１９（２１）は、ローラー１２における被記録媒体Ｐの幅方向の端部Ｐｅと接触する位置に付着した付着物を除去可能な位置に配置される。このため、被記録媒体Ｐの幅方向の端部Ｐｅの毛羽が前記付着物としてローラー１２に付着しても、該毛羽を効果的に除去することができる。
【００４５】
本発明の第３の態様の記録装置１は、前記第１の態様において、除去部１９（２１）は、被記録媒体Ｐの幅方向に移動可能であることを特徴とする。
【００４６】
本態様によれば、除去部１９（２１）は被記録媒体Ｐの幅方向に移動可能である。このため、複数の幅の被記録媒体Ｐを使用可能な構成であっても、使用する被記録媒体Ｐの幅に合わせて、該被記録媒体Ｐの幅方向の端部Ｐｅの毛羽を効果的に除去可能な位置に、除去部１９（２１）を移動させることができる。
【００４７】
本発明の第４の態様の記録装置１は、前記第３の態様において、除去部１９（２１）は、被記録媒体Ｐの搬送中に移動可能であることを特徴とする。
【００４８】
本態様によれば、除去部１９（２１）は被記録媒体Ｐの搬送中に移動可能である。このため、例えば、被記録媒体Ｐの搬送中にローラー全体に亘り除去部１９（２１）を被記録媒体Ｐの幅方向に移動させ続けることによって、ローラー１２全体の付着物を除去し続けることができる。すなわち、被記録媒体Ｐに前記付着物が付着することを特に効果的に抑制することができる。
【００４９】
本発明の第５の態様の記録装置１は、前記第１から第４のいずれか１つの態様において、除去部１９（２１）を複数備えることを特徴とする。
【００５０】
本態様によれば、除去部１９（２１）を複数備える。このため、ローラー１２に付着した付着物を効果的に除去することができる。例えば、ローラー１２における被記録媒体Ｐの幅方向の両方の端部Ｐｅに対応する位置に除去部１９（２１）を配置させることにより、ローラー１２に付着した毛羽を効果的に除去することができる。
【００５１】
本発明の第６の態様の記録装置１は、前記第１から第５のいずれか１つの態様において、前記除去部は、ローラー１２に当接して前記付着物を除去するブレード１９であることを特徴とする。
【００５２】
本態様によれば、前記除去部はローラー１２に当接して前記付着物を除去するブレード１９である。このため、ローラー１２から前記付着物を掻き取って除去することができる。
【００５３】
本発明の第７の態様の記録装置１は、前記第１から第５のいずれか１つの態様において、除去部２１は、粘着性を有する接触部２２をローラー１２に接触させて前記付着物を除去することを特徴とする。
【００５４】
本態様によれば、除去部２１は粘着性を有する接触部２２をローラー１２に接触させて前記付着物を除去する。このため、ローラー１２から前記付着物を貼り付けて除去することができる。
【００５５】
本発明の第８の態様の記録装置１は、前記第７の態様において、除去部２１は、外側に粘着面２４が位置するように巻かれたロールであることを特徴とする。
【００５６】
本態様によれば、除去部２１は外側に粘着面２４が位置するように巻かれたロールである。このため、粘着面２４に付着物が付着することにより粘着力が低下した場合に、簡単に新たな粘着面２４を出現させることができ、前記付着物の除去能力を簡単に回復することができる。
【符号の説明】
【００５７】
１…記録装置、２…繰出部、３…搬送機構、４…記録機構、５…繰出部２の回転軸、
６…従動ローラー、７…記録ヘッド、８…搬送ローラー、９…従動ローラー、
１０…粘着性ベルト、１１…従動ローラー、１２…加圧ローラー（ローラー）、
１３…洗浄ユニット、１４…トレイ、１５…洗浄機構、１６…カッター、
１７…巻取軸、１８…巻取機構、１９…ブレード（除去部）、２０…レール、
２１…粘着ローラー、２２…接触部、２３…巻取軸、２４…粘着面、２５…台紙、
Ｆ…粘着性ベルト１０の支持面、Ｐ…被記録媒体
【図１】
0006394897.tif 000002
【図２】
0006394897.tif 000003
【図３】
0006394897.tif 000004
【図４】
0006394897.tif 000005
【図５】
0006394897.tif 000006
【図６】
0006394897.tif 000007
【図７】
0006394897.tif 000008